(57)【要約】【課題】本発明は、デジタル放送の受信切り替えをスムーズに行うことができるデジタル放送受信システムを提供することを目的とする。【解決手段】本発明に係るデジタル放送受信システムは、第１フロントエンド部１と、第２フロントエンド部２と、ＴＳセレクタ部３と、データ分離部４と、デコーダ部５と、受信安定度判定部６とを備える。受信安定度判定部６は、第１フロントエンド部１及び第２フロントエンド部２から出力された選局状態情報と、データ分離部４から出力された受信状態情報とに基づいて第１フロントエンド部１及び第２フロントエンド部２の受信安定度を判定する。ＴＳセレクタ部３は、受信安定度判定部６の判定結果に基づき、第１ＴＳデータ及び第２ＴＳデータのいずれか一方をパケット単位で選択する。【選択図】図１
2008153832.tif 000002
【特許請求の範囲】
【請求項１】
受信したデジタル放送波を処理し、第１ＴＳデータを取り出す第１フロントエンド部と、
前記第１フロントエンド部と異なる周波数の前記デジタル放送波を受信し、第２ＴＳデータを取り出す第２フロントエンド部と、
前記第１ＴＳデータ及び前記第２ＴＳデータのいずれか一方を選択して出力するＴＳセレクタ部と、
前記ＴＳセレクタ部の出力から所定の信号を分離するデータ分離部と、
前記データ分離部で分離された前記所定の信号を復号し、出力するデコーダ部と、
前記第１フロントエンド部及び前記第２フロントエンド部から出力された選局状態情報と、前記データ分離部から出力された受信状態情報とに基づいて前記第１フロントエンド部及び前記第２フロントエンド部の受信安定度を判定する受信安定度判定部とを備えるデジタル放送受信システムであって、
前記ＴＳセレクタ部は、前記受信安定度判定部の判定結果に基づき、前記第１ＴＳデータ及び前記第２ＴＳデータのいずれか一方をパケット単位で選択することを特徴とするデジタル放送受信システム。
【請求項２】
請求項１に記載のデジタル放送受信システムであって、
前記第１ＴＳデータより前記受信状態情報を取り出す第１情報分離部と、
前記第２ＴＳデータより前記受信状態情報を取り出す第２情報分離部とをさらに備え、
前記受信安定度判定部は、前記第１フロントエンド部及び前記第２フロントエンド部から出力された前記選局状態情報と、前記データ分離部から出力された前記受信状態情報に代えて前記第１情報分離部及び前記第２情報分離部で取り出された前記受信状態情報とに基づいて前記第１フロントエンド部及び前記第２フロントエンド部の受信安定度を判定することを特徴とするデジタル放送受信システム。
【請求項３】
請求項２に記載のデジタル放送受信システムであって、
前記受信安定度判定部は、
前記第１フロントエンド部及び前記第２フロントエンド部から出力された前記選局状態情報と、前記第１情報分離部及び前記第２情報分離部で取り出された前記受信状態情報とに基づいて前記第１フロントエンド部及び前記第２フロントエンド部の受信安定度を評価する受信安定度評価部と、
前記受信安定度評価部からの評価結果に基づき、前記第１ＴＳデータ及び前記第２ＴＳデータのいずれか一方をパケット単位で選択することを前記ＴＳセレクタ部に指示する選局指示部とを備えることを特徴とするデジタル放送受信システム。
【請求項４】
請求項３に記載のデジタル放送受信システムであって、
前記受信安定度評価部は、
前記第１フロントエンド部から出力された前記選局状態情報と、前記第１情報分離部で取り出された前記受信状態情報とに基づいて前記第１フロントエンド部の受信安定度を評価する第１受信安定度評価部と、
前記第２フロントエンド部から出力された前記選局状態情報と、前記第２情報分離部で取り出された前記受信状態情報とに基づいて前記第２フロントエンド部の受信安定度を評価する第２受信安定度評価部とを備えることを特徴とするデジタル放送受信システム。
【請求項５】
請求項１に記載のデジタル放送受信システムであって、
前記受信安定度判定部は、
前記第１フロントエンド部及び前記第２フロントエンド部から出力された前記選局状態情報と、前記データ分離部から出力された前記受信状態情報とを蓄積し、当該蓄積した前記選局状態情報及び前記受信状態情報に対し所定の統計処理を行い前記第１フロントエンド部及び前記第２フロントエンド部の受信安定度を評価する統計情報蓄積部と、
前記統計情報蓄積部からの出力に基づき、前記第１ＴＳデータ及び前記第２ＴＳデータのいずれか一方をパケット単位で選択することを前記ＴＳセレクタ部に対して指示する選局指示部とを備えることを特徴とするデジタル放送受信システム。
【請求項６】
請求項１乃至請求項５のいずれか１つに記載のデジタル放送受信システムであって、
前記第１フロントエンド部及び前記第２フロントエンド部のそれぞれが、複数のチューナを有し、ダイバーシティ受信できることを特徴とするデジタル放送受信システム。
【請求項７】
請求項１乃至請求項６のいずれか１つに記載のデジタル放送受信システムであって、
前記第２フロントエンド部は、前記第１フロントエンド部が受信した前記デジタル放送波と同じ系列局のデジタル放送波を受信することを特徴とするデジタル放送受信システム。
【請求項８】
請求項１乃至請求項６のいずれか１つに記載のデジタル放送受信システムであって、
前記第２フロントエンド部は、前記第１フロントエンド部が受信した前記デジタル放送波のＭＦＮ局からデジタル放送波を受信することを特徴とするデジタル放送受信システム。
【発明の詳細な説明】
【技術分野】
【０００１】
本発明は、デジタル放送受信システムに係る発明であって、特に、受信の切り替えが必要なデジタル放送受信システムに関するものである。
【背景技術】
【０００２】
従来のデジタル放送受信システムが、複数の放送局をまたがって移動する移動体に設置されている場合、視聴中の放送局の放送エリアから外れると番組が視聴できなくなる。当該番組を視聴し続けたい場合には、再度チャンネルスキャンを行い、先ほど視聴していた番組の放送局と同じ系列の放送局を選局しなければならない。この場合、同じ番組を継続して視聴できるが、操作の手間がかかり、操作中は番組の視聴が中断される。
【０００３】
そこで、デジタル受信系統を２系統持つデジタル放送受信システムが考えられ、一方の受信系統で視聴中の放送波を受信し、他方の受信系統によって同じ系列の放送波を受信する構成を採用している。このデジタル放送受信システムでは、一方の受信系統の受信状態が悪くなった場合に、他方の受信系統に自動的に切り替える手段を有している。当該デジタル放送受信システムの詳細については、例えば特許文献１に記載されている。
【０００４】
【特許文献１】特開２００４−３２０４０６号公報（第１１頁、第１図）
【発明の開示】
【発明が解決しようとする課題】
【０００５】
特許文献１に記載のデジタル放送受信システムでは、受信系統の切り替えタイミングの検出方法として、受信信号の信号強度や受信品質を使用している。ところが、信号強度や受信品質による切り替えタイミングでは、切り替えが必要となる閾値設定によっては、信号強度が弱くても音声または映像データは受信可能な状態で、切り替えが発生したり、信号強度では切り替えの閾値を満たしていても、音声または映像データは受信できない場合が発生する。
【０００６】
さらに、特許文献１に記載のデジタル放送受信システムでは、受信系統の切り替えを復号器に入力される入力信号の切り替えで行っている。ところが、入力信号であるデジタル放送のＴＳパケットが途中で切り替えられた場合、切り替え時のパケットがロストするのみならず、次の同期が確立されるまでの数パケットがロストすることがある。
【０００７】
そこで、本発明は、上述の課題を解決するためになされたものであり、デジタル放送の受信切り替えをスムーズに行うことができるデジタル放送受信システムを提供することを目的とする。
【課題を解決するための手段】
【０００８】
本発明に係る解決手段は、受信したデジタル放送波を処理し、第１ＴＳデータを取り出す第１フロントエンド部と、第１フロントエンド部と異なる周波数のデジタル放送波を受信し、第２ＴＳデータを取り出す第２フロントエンド部と、第１ＴＳデータ及び第２ＴＳデータのいずれか一方を選択して出力するＴＳセレクタ部と、ＴＳセレクタ部の出力から所定の信号を分離するデータ分離部と、データ分離部で分離された所定の信号を復号し、出力するデコーダ部と、第１フロントエンド部及び第２フロントエンド部から出力された選局状態情報と、データ分離部から出力された受信状態情報とに基づいて第１フロントエンド部及び第２フロントエンド部の受信安定度を判定する受信安定度判定部とを備えるデジタル放送受信システムであって、ＴＳセレクタ部は、受信安定度判定部の判定結果に基づき、第１ＴＳデータ及び第２ＴＳデータのいずれか一方をパケット単位で選択する。
【発明の効果】
【０００９】
本発明に記載のデジタル放送受信システムは、ＴＳセレクタ部が、受信安定度判定部の判定結果に基づき、第１ＴＳデータ及び第２ＴＳデータのいずれか一方をパケット単位で選択するので、デジタル放送の受信をパケット単位で切り替えることができ、放送の中断のないシームレスな受信切り替えが可能となる。
【発明を実施するための最良の形態】
【００１０】
（実施の形態１）
図１に、本実施の形態に係るデジタル放送受信システムのブロック図を示す。図１に示すデジタル放送受信システムでは、デジタル放送をシームレスに切り替えるために２系統のフロントエンド部（第１フロントエンド部１，第２フロントエンド部２）を持っている。第１フロントエンド部１は、デジタル放送波であるＲＦ（Radio Frequency）を受信し、復調や復号等の所定の処理を行いＴＳ（Transport Stream）データを出力する。一方、第２フロントエンド部２は、第１フロントエンド部１と異なる周波数のデジタル放送波であるＲＦを受信し、ＴＳデータを出力する。
【００１１】
図１に示すＴＳセレクタ部３は、第１フロントエンド部１及び第２フロントエンド部２から２つのＴＳデータを受信し、いずれか一方のＴＳデータを選択し出力する。ＴＳセレクタ部３から出力されたＴＳデータは、データ分離部であるＤｅｍｕｘ部４で映像信号，音声信号，データ信号に分割される。図１に示すＤｅｃｏｄｅｒ（デコーダ）部５は、Ｄｅｍｕｘ部４で分離された信号を復号し、出力する。
【００１２】
さらに、図１に示すデジタル放送受信システムでは、第１フロントエンド部１及び第２フロントエンド部２から出力される受信状態を示す受信状態情報（例えば、ＰＬＬ（Phase Locked Loop） Ｌｏｃｋ，フレームＬｏｃｋ等）と、Ｄｅｍｕｘ部４から出力される選局状態を示す選局状態情報（例えば、ＰＡＴ（Program Association Table）断絶情報（ＰＡＴ断絶状態に関する情報），ＰＭＴ（Program Map Table）断絶情報（ＰＭＴ断絶状態に関する情報），ＴＳパケットのロスト率等）とに基づいて受信安定度を判定する受信安定度判定部６を備えている。
【００１３】
次に、図１に示すデジタル放送受信システムの動作について説明する。まず、第１フロントエンド部１で視聴中のデジタル放送波を受信している場合、第１フロントエンド部１からＴＳデータがＴＳセレクタ部３に出力される。さらに、第１フロントエンド部１からは、デジタル放送の受信状態を示すＰＬＬ  Ｌｏｃｋ，フレームＬｏｃｋ等の受信状態情報が受信安定度判定部６に出力されている。
【００１４】
一方、第２フロントエンド部２では、ネットワーク情報テーブル（ＮＩＴ）より抽出したチャンネル配置情報から視聴中の放送と同一の放送が行われている別のチャンネル（例えば系列局）を受信できるように選局しておく。なお、図１に示すように、第１フロントエンド部１及び第２フロントエンド部２に対する系列局選局指示は受信安定度判定部６が行う。
【００１５】
別のチャンネルのデジタル放送を受信している第２フロントエンド部２も、ＴＳセレクタ部３に受信したＴＳデータを出力している。さらに、第２フロントエンド部２からも、デジタル放送の受信状態を示すＰＬＬ  Ｌｏｃｋ，フレームＬｏｃｋ等の受信状態情報が受信安定度判定部６に出力されている。
【００１６】
次に、ＴＳセレクタ部３は、現在視聴中の第１フロントエンド部１からのＴＳデータを出力し、Ｄｅｍｕｘ部４に入力する。Ｄｅｍｕｘ部４では、ＴＳデータを映像信号，音声信号，データ信号に分離し、それらの信号をＤｅｃｏｄｅｒ部５に出力する。また、Ｄｅｍｕｘ部４では、ＴＳデータから選局状態を示すＰＡＴ断絶状態，ＰＭＴ断絶状態，ＴＳパケットのロスト率等の選局状態情報を受信安定度判定部６に出力する。受信安定度判定部６では、第１フロントエンド部１及び第２フロントエンド部２からのＰＬＬ  Ｌｏｃｋ，フレームＬｏｃｋ等の受信状態情報と、Ｄｅｍｕｘ部４からのＰＡＴ断絶情報，ＰＭＴ断絶情報，ＴＳパケットのロスト率等の選局状態情報とに基づいて受信安定度を判定し、当該結果に基づいてＴＳセレクタ部３を切り替える。
【００１７】
受信安定度判定部６での受信安定度の判定方法は、例えば、ＰＬＬ  Ｌｏｃｋ情報が受信できるまでに要する時間がある閾値以上で、且つＰＡＴ受信が断絶している時間がある閾値以上である場合に、受信安定度が低い受信不安定と判定する。なお、受信状態情報は、ＰＬＬ  Ｌｏｃｋ，フレームＬｏｃｋに限られず、他の値であっても良い。また、受信状態情報には、ＰＬＬ  ＬｏｃｋとフレームＬｏｃｋとを組み合わせた値を用いても良い。さらに、選局状態情報は、ＰＡＴ断絶状態，ＰＭＴ断絶状態，ＴＳパケットのロスト率に限られず、他の値であっても良い。また、選局状態情報には、ＰＡＴ断絶状態やＴＳパケットのロスト率等を組み合わせた値を用いても良い。
【００１８】
ＴＳセレクタ部３は、第１フロントエンド部１で視聴中に受信安定度判定部６が受信不安定と判定した場合、Ｄｅｍｕｘ部４へ出力するＴＳデータを第２フロントエンド部２のＴＳデータに切り替える。なお、ＴＳセレクタ部３での切り替えは、ＴＳデータのパケット単位で行う。
【００１９】
図２に、第１フロントエンド部１及び第２フロントエンド部２のＴＳデータのパケット列を示す模式図である。図２では、第１フロントエンド部１のＴＳデータをＴＳ（Ａ）と、第２フロントエンド部２のＴＳデータをＴＳ（Ｂ）とそれぞれ表している。また、図２では、ＴＳ（Ａ）及びＴＳ（Ｂ）のパケット列を、１，２，３，・・・，７の番号を割り振ったブロックとして図示している。さらに、図２では、ＴＳセレクタ部３で選択されたＴＳデータのパケットに網掛けを施し、ＴＳセレクト指示に選択されているＴＳデータ（ＴＳ（Ａ）又はＴＳ（Ｂ））を示している。
【００２０】
図２ａに示す例では主としてＴＳ（Ａ）を選択することを前提としているため、１，２，３番目のパケットはＴＳ（Ａ）を選択している。しかし、４番目のパケットでは、ＴＳ（Ａ）のパケットがロストしているため、受信安定度判定部６が第１フロントエンド部１を受信不安定と判定し４番目のパケットはＴＳ（Ｂ）を選択するようにＴＳセレクタ部３を切り替える。その後、５，６，７番目のパケットはＴＳ（Ａ）のパケットがロストしていないので、受信安定度判定部６が第１フロントエンド部１を受信安定と判定して、ＴＳセレクタ部３がＴＳ（Ａ）を選択するように切り替える。
【００２１】
一方、図２ｂに示す例では、１，２，３番目のパケットはＴＳ（Ａ）を選択している。しかし、４番目のパケットでは、ＴＳ（Ａ）のパケットがロストしているため、受信安定度判定部６が第１フロントエンド部１を受信不安定と判定し４番目のパケットはＴＳ（Ｂ）を選択するようにＴＳセレクタ部３を切り替える。その後、５番目のパケットはＴＳ（Ｂ）のパケットがロストしていないので、そのままＴＳセレクタ部３はＴＳ（Ｂ）を選択し続ける。しかし、６番目のパケットでは、ＴＳ（Ｂ）のパケットがロストしているため、受信安定度判定部６が第１フロントエンド部１を受信不安定と判定し６番目のパケットはＴＳ（Ａ）を選択するようにＴＳセレクタ部３を切り替える。その後、７番目のパケットはＴＳ（Ａ）のパケットがロストしていないので、そのままＴＳセレクタ部３はＴＳ（Ａ）を選択し続ける。本実施の形態に係るデジタル放送受信システムでは、図２ａ及び図２ｂのようにＴＳデータをパケット単位で切り替えることができるため、放送の中断のないシームレスな受信切り替えが可能となる。
【００２２】
なお、図２ａ及び図２ｂでは、１パケットがロストした場合に受信不安定と判定する例を示したが、本発明はこれに限られず、ＴＳデータの複数のパケットのうち、ある閾値以上のパケットがロストした場合（ＴＳパケットのロスト率）に受信不安定と判定しても良い。ここで、ＴＳデータのパケットがロストしていることを検出する方法としては、例えばＴＳデータの同期信号であるＴＳ＿Ｓｙｎｃ信号の到来毎にＣｏｎｔｉｎｕｉｔｙ＿ｃｏｕｎｔｅｒ値をチェックし、当該値が連続しているか否かによりパケットのロストを検出する。つまり、図２ａ及び図２ｂに示す各パケット毎にＴＳ＿Ｓｙｎｃ信号（図示せず）を受け、当該信号以後のパケットに対するＣｏｎｔｉｎｕｉｔｙ＿ｃｏｕｎｔｅｒ値をチェックする。
【００２３】
また、ＴＳデータのパケットのロストを検出する別の方法としては、ＴＳデータのパケット毎にエラーフラグをチェックする方法がある。当該方法を利用した場合、ＴＳセレクタ部３は、エラーフラグのないＴＳデータのパケットを選択することになる。さらに、Ｃｏｎｔｉｎｕｉｔｙ＿ｃｏｕｎｔｅｒ値とエラーフラグの両方を用いてパケットのロストを検出して、パケットのロストがないＴＳデータをＴＳセレクタ部３が選択する構成でも良い。
【００２４】
次に、地上デジタル放送の例を用いて、本実施の形態に係るデジタル放送受信システムの動作について説明する。この地上デジタル放送波は、映像信号，音声信号，データ信号で構成された論理チャンネルがＭＰＥＧで符号化及び多重化され、ＯＦＤＭ方式によってデジタル変調されている。そして、複数の地上デジタル放送波が集まり、送信ネットワークを構成している。また、地上デジタル放送では、送信ネットワークの単位は地域の放送事業者毎に構成されているため、ネットワーク情報を記述したネットワーク情報テーブル（ＮＩＴ）を抽出することで、地域の放送事業者が送出している親局や中継局のチャンネル配置情報を知ることができる。
【００２５】
そのため、図１に示す第１フロントエンド部１で現在視聴中の放送波を受信している場合、第２フロントエンド部２では、ネットワーク情報テーブルから現在視聴中の放送波と同じ系列局をサーチし、当該系列局の放送波を受信する。受信安定度判定部６で、第１フロントエンド部１の受信が不安定、第２フロントエンド部２の受信が安定と判定した場合、ＴＳセレクタ部３が第２フロントエンド部２から出力されるＴＳデータにパケット単位で切り替えて、Ｄｅｍｕｘ部４に出力する。このように、ネットワーク情報テーブル等を用いて予め系列局サーチを受信安定度判定部６で行っておくことにより、ＴＳデータをパケット単位で切り替えることができ、放送の中断のないシームレスな系列局切り替えが可能となる。
【００２６】
また、図１に示す第１フロントエンド部１で現在視聴中の放送波を受信している場合、第２フロントエンド部２では、ＭＦＮ（Multi frequency Network）サーチを行い現在視聴中の放送波に対応するＭＦＮ局の放送波を受信する構成でも良い。なお、ＭＦＮとは、同一放送局で、サービスエリアが重なる送信所（中継局）に、異なる周波数を割り当ててネットワークを形成することをいう。
【００２７】
ＭＦＮ局の放送波を受信する場合も、受信安定度判定部６で、第１フロントエンド部１の受信が不安定、第２フロントエンド部２の受信が安定と判定したとき、ＴＳセレクタ部３が第２フロントエンド部２から出力されるＴＳデータにパケット単位で切り替えて、Ｄｅｍｕｘ部４へ出力する。このように、受信安定度判定部６がＭＦＮサーチを行って予めＭＦＮ局を決めておくことにより、ＴＳデータをパケット単位で切り替えることができ、放送の中断のないシームレスなＭＦＮ局切り替えが可能となる。
【００２８】
（実施の形態２）
図３に、本実施の形態に係るデジタル放送受信システムのブロック図を示す。図３に示すデジタル放送受信システムでは、デジタル放送をシームレスに切り替えるために２系統のフロントエンド部（第１フロントエンド部１，第２フロントエンド部２）を持っている。第１フロントエンド部１は、デジタル放送波であるＲＦを受信し、復調や復号等の所定の処理を行いＴＳデータを出力する。一方、第２フロントエンド部２は、第１フロントエンド部１と異なる周波数のデジタル放送波であるＲＦを受信し、ＴＳデータを出力する。
【００２９】
図３に示すＴＳセレクタ部３は、第１フロントエンド部１及び第２フロントエンド部２からの２つのＴＳデータを受信し、いずれか一方のＴＳデータを選択する。図３に示すデジタル放送受信システムは、図１に示すデジタル放送受信システムと異なり、第１フロントエンド部１とＴＳセレクタ部３との間に、ＴＳデータから選局状態を示すＰＡＴ断絶状態，ＰＭＴ断絶状態，ＴＳパケットのロスト率等の選局状態情報を取り出すＤｅｍｕｘ−Ａ部８を備えている。同様に、図３に示すデジタル放送受信システムは、第２フロントエンド部２とＴＳセレクタ部３との間に、ＴＳデータから選局状態を示すＰＡＴ断絶状態，ＰＭＴ断絶状態，ＴＳパケットのロスト率等の選局状態情報を取り出すＤｅｍｕｘ−Ｂ部９を備えている。
【００３０】
さらに、図３に示すデジタル放送受信システムでは、図１に示す受信安定度判定部６に対応する構成部として受信安定度評価部１０，１１及び選局指示部１２を備えている。この受信安定度評価部１０は、Ｄｅｍｕｘ−Ａ部８からの選局状態情報と、第１フロントエンド部１からの受信状態を示すＰＬＬ Ｌｏｃｋ，フレームＬｏｃｋ等の受信状態情報とに基づいて第１フロントエンド部１の受信安定度を評価している。同様に、受信安定度評価部１１は、Ｄｅｍｕｘ−Ｂ部９からの選局状態情報と、第２フロントエンド部２からの受信状態を示すＰＬＬ Ｌｏｃｋ，フレームＬｏｃｋ等の受信状態情報とに基づいて第２フロントエンド部２の受信安定度を評価している。
【００３１】
選局指示部１２は、受信安定度評価部１０及び受信安定度評価部１１から受信安定度の評価結果である受信不安定通知を受け取り、当該通知に基づきＴＳセレクタ部３でのＴＳデータの選択を制御する。つまり、ＴＳセレクタ部３は、選局指示部１２の指示に基づき、受信状態のより安定している第１フロントエンド部１又は第２フロントエンド部２のいずれか一方のＴＳデータをＤｅｍｕｘ部４に出力する。
【００３２】
ＴＳセレクタ部３は、ＴＳデータのパケット単位で切り替えてＤｅｍｕｘ部４に出力する。ＴＳセレクタ部３から出力されたＴＳデータは、データ分離部であるＤｅｍｕｘ部４で映像信号，音声信号，データ信号に分割される。図３に示すＤｅｃｏｄｅｒ部５は、Ｄｅｍｕｘ部４で分離された信号を復号し、出力する。
【００３３】
受信安定度評価部１０及び受信安定度評価部１１では、実施の形態１と同様、選局状態情報と受信状態情報とに基づいて受信安定度を評価する。例えば、ＰＬＬ  Ｌｏｃｋ情報が受信できるまでに要する時間がある閾値以上で、且つＰＡＴ受信が断絶している時間がある閾値以上である場合に、受信安定度が低い受信不安定と評価する。なお、受信状態情報は、ＰＬＬ  Ｌｏｃｋ，フレームＬｏｃｋに限られず、他の値であっても良い。また、受信状態情報には、ＰＬＬ  ＬｏｃｋとフレームＬｏｃｋとを組み合わせた値を用いても良い。さらに、選局状態情報は、ＰＡＴ断絶状態，ＰＭＴ断絶状態，ＴＳパケットのロスト率に限られず、他の値であっても良い。また、選局状態情報には、ＰＡＴ断絶状態やＴＳパケットのロスト率等を組み合わせた値を用いても良い。
【００３４】
具体的な受信安定度評価として、例えばＴＳデータの複数のパケットのうち、ある閾値以上のパケットがロストしている（ＴＳパケットのロスト率）場合、受信不安定と評価する方法が考えられる。この場合に、ＴＳデータのパケットがロストしていることを検出する方法としては、例えば各パケット毎に設けたＴＳデータの同期信号であるＴＳ＿Ｓｙｎｃ信号が到来毎にＣｏｎｔｉｎｕｉｔｙ＿ｃｏｕｎｔｅｒ値をチェックし、当該値が連続しているか否かによりパケットのロストを検出する方法がある。
【００３５】
また、ＴＳデータのパケットのロストを検出する別の方法としては、ＴＳデータのパケット毎にエラーフラグをチェックする方法がある。さらに、Ｃｏｎｔｉｎｕｉｔｙ＿ｃｏｕｎｔｅｒ値とエラーフラグの両方を用いてパケットのロストを検出する方法がある。
【００３６】
本実施の形態に係るデジタル放送受信システムでも、実施の形態１と同様、第１フロントエンド部１で現在視聴中の放送波を受信している場合、第２フロントエンド部２では、ネットワーク情報テーブルから現在視聴中の放送波と同じ系列局をサーチし、当該系列局の放送波を受信する。受信安定度評価部１０，１１で、第１フロントエンド部１の受信が不安定、第２フロントエンド部２の受信が安定と判定した場合、ＴＳセレクタ部３が第２フロントエンド部２から出力されるＴＳデータにパケット単位で切り替えて、Ｄｅｍｕｘ部４に出力する。このように、ネットワーク情報テーブル等を用いて予め系列局サーチを選局指示部１２で行っておくことにより、ＴＳデータをパケット単位で切り替えることができ、放送の中断のないシームレスな系列局切り替えが可能となる。
【００３７】
また、図３に示す第１フロントエンド部１で現在視聴中の放送波を受信している場合、第２フロントエンド部２では、ＭＦＮサーチを行い現在視聴中の放送波に対応するＭＦＮ局の放送波を受信する構成でも良い。ＭＦＮ局の放送波を受信する場合も、受信安定度評価部１０，１１で、第１フロントエンド部１の受信が不安定、第２フロントエンド部２の受信が安定と判定したとき、ＴＳセレクタ部３が第２フロントエンド部２から出力されるＴＳデータにパケット単位で切り替えて、Ｄｅｍｕｘ部４へ出力する。このように、選局指示部１２がＭＦＮサーチを行って予めＭＦＮ局を決めておくことにより、ＴＳデータをパケット単位で切り替えることができ、放送の中断のないシームレスなＭＦＮ局切り替えが可能となる。
【００３８】
以上のように、本実施の形態に係るデジタル放送受信システムは、Ｄｅｍｕｘ−Ａ部８、Ｄｅｍｕｘ−Ｂ部９、受信安定度評価部１０，１１、選局指示部１２等を備えているので、ＴＳデータをパケット単位で切り替えることができ、放送の中断のないシームレスな受信切り替えが可能となる。
【００３９】
なお、本実施の形態に係るデジタル放送受信システムでは、受信安定度評価部１０，１１及び選局指示部１２を備えているが、本発明はこれに限られず当該部分を図１に示す受信安定度判定部６としても良い。また、本実施の形態に係るデジタル放送受信システムでは、第１フロントエンド部１に対応して受信安定度評価部１０を，第２フロントエンド部２に対応して受信安定度評価部１１をそれぞれ設ける構成であるが、本発明はこれに限られず第１フロントエンド部１及び第２フロントエンド部２の共通の受信安定度評価部を設ける構成でも良い。
【００４０】
（実施の形態３）
図４に、本実施の形態に係るデジタル放送受信システムのブロック図を示す。図４に示すデジタル放送受信システムでは、デジタル放送をシームレスに切り替えるために２系統のフロントエンド部（第１フロントエンド部１，第２フロントエンド部２）を持っている。第１フロントエンド部１は、デジタル放送波であるＲＦを受信し、復調や復号等の所定の処理を行いＴＳデータを出力する。一方、第２フロントエンド部２は、第１フロントエンド部１と異なる周波数のデジタル放送波であるＲＦを受信し、ＴＳデータを出力する。
【００４１】
図４に示すＴＳセレクタ部３は、第１フロントエンド部１及び第２フロントエンド部２からの２つのＴＳデータを受信し、いずれか一方のＴＳデータを選択する。図４に示すデジタル放送受信システムでは、図１に示す受信安定度判定部６に対応する構成部として統計情報蓄積部１３と、選局指示部１２とを備えている。この統計情報蓄積部１３は、Ｄｅｍｕｘ部４からの選局状態情報と、第１フロントエンド部１及び第２フロントエンド部２からの受信状態情報とを蓄積し、当該蓄積した選局状態情報及び受信状態情報に対し所定の統計処理を行い第１フロントエンド部１及び第２フロントエンド部２の受信安定度を評価している。
【００４２】
ここで、統計情報蓄積部１３が行う統計処理としては、例えば選局状態情報及び受信状態情報に応じた受信安定度を一定の期間蓄積しておき、新たに受信した選局状態情報及び受信状態情報を蓄積したデータと対比させることで受信安定度を評価する処理が考えられる。また、選局状態情報及び受信状態情報に応じた受信安定度と位置情報と組み合わせて蓄積することで、ある位置での受信安定度を過去の統計データより評価できるようになる。
【００４３】
選局指示部１２は、統計情報蓄積部１３から受信安定度の評価結果を受け取り、当該評価結果に基づきＴＳセレクタ部３でのＴＳデータの選択を制御する。つまり、ＴＳセレクタ部３は、選局指示部１２の指示に基づき、受信状態のより安定している第１フロントエンド部１又は第２フロントエンド部２のいずれか一方のＴＳデータをＤｅｍｕｘ部４に出力する。
【００４４】
ＴＳセレクタ部３は、ＴＳデータのパケット単位で切り替えてＤｅｍｕｘ部４に出力する。ＴＳセレクタ部３から出力されたＴＳデータは、データ分離部であるＤｅｍｕｘ部４で映像信号，音声信号，データ信号に分割される。図４に示すＤｅｃｏｄｅｒ部５は、Ｄｅｍｕｘ部４で分離された信号を復号し、出力する。
【００４５】
なお、本実施の形態に係るデジタル放送受信システムにおいても、受信安定度評価に、ＴＳデータの複数のパケットのうち、ある閾値以上のパケットがロストしている場合（ＴＳパケットのロスト率）に受信不安定と評価する方法が考えられる。この場合に、ＴＳデータのパケットがロストしていることを検出する方法としては、例えばＴＳデータの同期信号であるＴＳ＿Ｓｙｎｃ信号の到来毎にＣｏｎｔｉｎｕｉｔｙ＿ｃｏｕｎｔｅｒ値をチェックし、当該値が連続しているか否かによりパケットのロストを検出する方法がある。
【００４６】
また、ＴＳデータのパケットのロストを検出する別の方法としては、ＴＳデータのパケット毎にエラーフラグをチェックする方法がある。さらに、Ｃｏｎｔｉｎｕｉｔｙ＿ｃｏｕｎｔｅｒ値とエラーフラグの両方を用いてパケットのロストを検出する方法がある。
【００４７】
以上のように、本実施の形態に係るデジタル放送受信システムでは、選局指示部１２、統計情報蓄積部１３等を備えるので、過去の受信安定度の統計データに基づきＴＳデータをパケット単位で切り替えることができ、放送の中断のないシームレスな受信切り替えが可能となる。
【００４８】
（実施の形態４）
図５本実施の形態に係るデジタル放送受信システムのブロック図を示す。図５に示すデジタル放送受信システムは、図１に示すデジタル放送受信システムと基本的に同じであるが、第１フロントエンド部１及び第２フロントエンド部２が複数のチューナを有しダイバーシティ受信が可能な点で異なる。その他の構成は図１に示すデジタル放送受信システムと同じであるため、同一の符号を付して詳細な説明は省略する。
【００４９】
図５に示す第１フロントエンド部１及び第２フロントエンド部２がダイバーシティ受信可能であるため、視聴中の放送と、同時に受信可能な同じ放送の局、系列局、ＭＦＮ局の受信精度がより高くなり、受信状態をさらに安定させることが可能となる。なお、本実施の形態に係るデジタル放送受信システムでは、実施の形態１をダイバーシティ受信可能な構成にした例を示したが、本発明はこれに限られず実施の形態２及び３についても同様にダイバーシティ受信可能な構成にすることが可能である。
【図面の簡単な説明】
【００５０】
【図１】本発明の実施の形態１に係るデジタル放送受信システムのブロック図である。
【図２】本発明の実施の形態１に係るデジタル放送受信システムのＴＳデータの切り替えを説明するための模式図である。
【図３】本発明の実施の形態２に係るデジタル放送受信システムのブロック図である。
【図４】本発明の実施の形態３に係るデジタル放送受信システムのブロック図である。
【図５】本発明の実施の形態４に係るデジタル放送受信システムのブロック図である。
【符号の説明】
【００５１】
１  第１フロントエンド部、２  第２フロントエンド部、３  ＴＳセレクタ部、４  Ｄｅｍｕｘ部、５  Ｄｅｃｏｄｅｒ部、６  受信安定度判定部、８  Ｄｅｍｕｘ−Ａ部、９  Ｄｅｍｕｘ−Ｂ部、１０，１１  受信安定度評価部、１２  選局指示部、１３  統計情報蓄積部。
【図１】
2008153832.tif 000003
【図２】
2008153832.tif 000004
【図３】
2008153832.tif 000005
【図４】
2008153832.tif 000006
【図５】
2008153832.tif 000007